(57)【要約】【課題】自動車の小物入れを有効に活用して車載用機器を簡単に取り付けることができるようにする。また、車載用機器の取り付けに利用した小物入れ自体の機能を損なうことなく使用することが可能な車載用機器取付装置を実現する。【解決手段】自動車のフロントシート前方のダッシュボードなどに設けられた小物入れ１の収納室内１１へ挿入し、かつ収納室１１の内壁面へ固定可能に構成した固定用ブラケット３と、車載用機器２を取り付ける機器取付用ブラケット４と、この機器取付用ブラケット４と固定用ブラケット３との連結部に設けた傾倒機構５とを備える。また、この傾倒機構５の動作により機器取付用ブラケット４を小物入れ１の収納室１１を閉蓋する状態から傾倒して小物入れ１の収納室１１を開蓋する状態との間で移動可能に構成し、小物入れ１自体の機能を損なわないようにする。【選択図】図１
2006248453.tif 000002
【特許請求の範囲】
【請求項１】
自動車のフロントシート前方のダッシュボードあるいはフロントコンソール周辺に設けた小物入れの収納室内へ挿入しかつ収納室の内壁面へ固定可能に構成した固定用ブラケットと、車載用機器を装着する機器取付用ブラケットと、この機器取付用ブラケットと固定用ブラケットとの連結部に設けた傾倒機構とを備えたことを特徴とする車載用機器取付装置。
【請求項２】
上記固定用ブラケットは、小物入れの収納室内へ圧縮挿入可能なバネ部材を有する固定機構を備え、この固定機構のバネ部材の圧縮応力により収納室の相対する内壁面へ圧接触して固定するように構成したことを特徴とする請求項１記載の車載用機器取付装置。
【請求項３】
上記固定用ブラケットは、小物入れの収納室内へ挿入する基台に２本のリンクをＸ字形に組み合わせたリンク式伸縮機構を介して昇降部材を取り付けて構成し、このリンク式伸縮機構の伸長操作により昇降部材を収納室の内壁面へ圧接触させて固定するように構成したことを特徴とする請求項１記載の車載用機器取付装置。
【請求項４】
上記機器取付用ブラケットは、傾倒機構の動作にもとづき小物入れの収納室を閉蓋する第１の状態から傾倒して小物入れの収納室を開蓋する第２の状態との間で移動可能に構成したことを特徴とする請求項１から３のうちいずれか一項記載の車載用機器取付装置。
【請求項５】
上記機器取付用ブラケットは、車載用機器の取付部に取付位置調整手段を備えたことを特徴とする請求項１から４のうちいずれか一項記載の車載用機器取付装置。
【請求項６】
自動車のフロントシート前方のダッシュボードあるいはフロントコンソール周辺に設けた小物入れの収納室内へ挿入しかつ収納室の内壁面へ固定可能に構成した固定用ブラケットと、車載用スピーカ装置を装着する機器取付用ブラケットと、この機器取付用ブラケットと固定用ブラケットとの連結部に設けた傾倒機構とを備えた車載用機器取付装置であって、
車載用スピーカ装置を装着した機器取付用ブラケットを傾倒機構の動作にもとづき小物入れの収納室を閉蓋した状態としたとき、小物入れの収納室の容積を車載用スピーカ装置のバックキャビティとして使用することを特徴とする車載用機器取付装置。
【発明の詳細な説明】
【技術分野】
【０００１】
本発明は、自動車の室内へ車載用機器を取り付けるための車載用機器取付装置に係り、特に、車載用機器を自動車のフロントシート前方のダッシュボードなどに設けたグローブボックス等の小物入れを有効に活用して取り付ける車載用機器取付装置に関する。
【背景技術】
【０００２】
従来の車載用機器取付装置においては、自動車のフロントシート前方のダッシュボードあるいはフロントコンソール内へＭＤ、ＣＤ、液晶テレビ、ＤＶＤ再生装置、ラジオ、無線機等の車載用機器を多数収納していた。最近では、これらの車載用機器に加えて、さらに装着したい車載用機器が増える傾向にあり、多くの車載用機器を限られた収納スペース内の適切な位置へ配置する必要があった。
【０００３】
従来、上述したような多数の車載用機器をフロントダッシュボードの周辺に取り付けを行なう場合は、図８に示すように、ダッシュボード上面の左右、または中央部やダッシュボードの手前部分（左右の位置）あるいはダッシュボードの下部等の場所に取付ブラケット、ないしは取付ブラケットと固定用のネジを併用して取り付けが行われていた。
【０００４】
また、フロントコンソール部分にＭＤ、ＣＤ等の車載用音響機器が取り付けられている場合は、取り付けスペースを確保するため、小物入れ等の不要部品を取り外し、専用のブラケットを車両側に取り付けて車載用機器を装着していた。
【０００５】
しかし、上述した従来の車載用機器取付装置では、ダッシュボードへネジ止めまたは両面感圧式粘着テープによる固定が必要であり、車両側に少なくとも加工を施す必要があった。このような取り付け方法の接着または両面感圧式粘着テープによる固定の場合は、車載用機器の取り外し後に、接着剤の成分がダッシュボード表面から完全に剥がれることがなく、汚れてしまうという問題点があった。
【０００６】
また、他の取り付け方法としては、フロントコンソール周辺に、例えば、車載用スピーカ装置を取り付ける場合、まず、フロントコンソール周辺に取り付けられている部品を取り外すとともに、チューナー等の車載用音響機器周辺の不要な部品を取り外した後、車載用スピーカ装置を取り付けるための専用ブラケットを取り付ける必要があった。さらに、その後で、取り外した車両部品を復元するという作業行程を必要とし、取り付け作業に時間がかかることに加えて、車種に対応した専用ブラケットを用いて車載用スピーカ装置を取り付ける必要があった。また、もともと取り付けられていたフロントコンソール周辺の小物入れは、取り外されるため、使用できなくなるという欠点があった。
【０００７】
そこで、上述したような問題点解決するための一手段として、従来の車載用機器取付装置には、例えば、車内のインストルメントパネルに設けられた灰皿を挿入するスペースを利用して、その灰皿の挿入スペースへ車載用機器本体を固定するケースを設けるように構成したものが提案されている（例えば、特許文献１参照。）。
【０００８】
さらに、従来の車載用取付装置には、自動車のフロント前方のダッシュボードあるいはフロントコンソールに設けられたグローブボックスなどの収納ボックスを利用して車載用機器を取り付けるように構成したものが提案されている。この従来の車載用機器取付装置は、グローブボックス等の収納ボックス内へ嵌挿可能なインサートを有するベースと、このベースに適宜角度を成して設けられた車載用機器を収納するためのフレームとで構成している。したがって、この従来の車載用機器取付装置は、ベースに設けたインサートを収納ボックスへ嵌装することによって車載用機器の装着状態を保持するように構成されている（例えば、特許文献２参照。）。
【０００９】
【特許文献１】特開２００２−８７１７７号公報
【特許文献１】特開平５−２０１２８８号公報
【発明の開示】
【発明が解決しようとする課題】
【００１０】
以上述べた従来の車載用機器取付装置においては、フロントコンソール周辺などに設けた小物入れを利用して車載用機器の取り付けを行なう場合、小物入れの収納室全体を塞いだ状態にして車載用機器の取り付けを行なうように構成しているため、車載用機器の取り付けを行った後は、小物入れとしての機能を損ない、小物入れとしては使用できなくなるという問題点があった。
【００１１】
本発明は、このような従来の構成が有していた問題点を解決しようとするものであり、自動車の小物入れを有効に活用して車載用機器の取り付けを簡単に行なうことができるとともに、車載用機器の取り付けに利用した小物入れ自体の機能を損なうことなく、車載用機器を取り付けた後も小物いれとして使用することが可能な車載用機器取付装置を実現することを目的としている。
【課題を解決するための手段】
【００１２】
そして、本発明の車載用機器取付装置は、上記目的を達成するために、自動車のフロントシート前方のダッシュボードあるいはフロントコンソール周辺に設けた小物入れの収納室内へ挿入しかつ収納室の内壁面へ固定可能に構成した固定用ブラケットと、車載用機器を装着する機器取付用ブラケットと、この機器取付用ブラケットと固定用ブラケットとの連結部に設けた傾倒機構とを備えたものである。
【００１３】
また、上記固定用ブラケットは、小物入れの収納室内へ圧縮挿入可能なバネ部材を有する固定機構を備え、この固定機構のバネ部材の圧縮応力により収納室の相対する内壁面へ圧接触して固定する構成としたものである。
【００１４】
さらに、上記固定用ブラケットは、小物入れの収納室内へ挿入する基台に２本のリンクをＸ字形に組み合わせたリンク式伸縮機構を介して昇降部材を取り付けて構成し、このリンク式伸縮機構の伸長操作により昇降部材を収納室の内壁面へ圧接触させて固定するように構成することも可能である。
【００１５】
また、上記機器取付用ブラケットは、傾倒機構の動作にもとづき小物入れの収納室を閉蓋する第１の状態から傾倒して小物入れの収納室を開蓋する第２の状態との間で移動可能に構成したものである。
【００１６】
また、上記機器取付用ブラケットは、車載用機器の取付部に取付位置調整機構を備えることが効果的である。
【００１７】
さらに、本発明の車載用機器取付装置は、自動車のフロントシート前方のダッシュボードあるいはフロントコンソール周辺に設けた小物入れの収納室内へ挿入しかつ収納室の内壁面へ固定可能に構成した固定用ブラケットと、車載用スピーカ装置を装着する機器取付用ブラケットと、この機器取付用ブラケットと固定用ブラケットとの連結部に設けた傾倒機構とを備えた車載用機器取付装置であって、車載用スピーカ装置を装着した機器取付用ブラケットを傾倒機構の動作にもとづき小物入れの収納室を閉蓋した状態としたとき、小物入れの収納室の容積をスピーカ装置のバックキャビティとして使用するように構成し、音響性能の改善を図るようにしている。
【発明の効果】
【００１８】
上述したように、本発明の車載用機器取付装置は、自動車の小物入れを有効に活用して車載用機器の取り付けを簡単に行なうことができる。また、車載用機器の取り付けに利用した小物入れ自体の機能を損なうことなく、車載用機器を取り付けた後も小物入れとして使用することが可能となる。
【発明を実施するための最良の形態】
【００１９】
以下、本発明に係る車載用機器取付装置の実施の形態を図１から図７にもとづいて説明する。
【実施例１】
【００２０】
まず、図１から図３にもとづいて、本発明に係る車載用機器取付装置の第１の実施例について説明する。図１の（ａ）は、フロントコンソール周辺に設けた小物入れ１を利用して車載用機器２を装着した状態を示す断面側面図、図１の（ｂ）は、小物入れ１の収納室１１内へ挿入して固定する固定ブラケット３と、車載用機器２を装着した機器取付用ブラケット４、およびその機器取付用ブラケット４と固定ブラケット３の連結部に設けた傾倒機構５の構成を示す斜視図である。
【００２１】
この図１の（ａ）および（ｂ）に示す本発明の第１の実施例は、車載用機器の例えば、車載用スピーカ装置２をダッシュボード中央部のコントロールパネル周辺に取り付けられた小物入れ１を利用して、車両側の部品を取り外すことなく、簡単に装着することができるように構成するとともに、車載用機器の取り付けに利用した小物入れ自体の機能を損なうことなく、車載用機器を取り付けた後も小物入れとして使用することできるように構成したことを特長としている。
【００２２】
この本発明の第１の実施例に用いられる固定用ブラケット３は、小物入れ１の開口部分から収納室１１内へ挿入することができる幅と奥行きを有する板状部材からなり、その下面側には、両面感圧式粘着テープ６が貼着されている。この固定用ブラケット３を小物入れ１の収納室１１へ挿入し、収納室１１の下側内壁面へ押し当てることにより、固定用ブラケット３は、両面感圧式粘着テープ６の接着力によって、収納室１１の下側内壁面へ固定される。
【００２３】
また、機器取付用ブラケット４は、図１の（ａ）および（ｂ）で示すように、車載用スピーカ装置２の背面側を当接し、取付ネジ７を用いて車載用スピーカ装置２を取り付け固定している。この時、機器取付用ブラケット４の取付部４１には、車載用スピーカ装置２の取り付け位置を調整するための取付位置調整手段８が設けられている。この第１の実施例においては、取付ネジ７のネジ部分を貫通する長孔８１を十字形状に形成し、車載用スピーカ装置２の取り付け位置を左右方向、および上下方向に調整できるように構成している。
【００２４】
また、この機器取付用ブラケット４は、小物入れ１の収納室１１の開口部分を閉蓋することができる大きさの板状部材で形成され、その下端部には周知の構造の傾倒機構５が設けられ、この傾倒機構５を介して固定用ブラケット３に連結されている。したがって、固定用ブラケット３に連結された機器取付用ブラケット４は、傾倒機構５の動作にもとづき、小物入れ１の収納室１１の開口部分を蓋閉する第１の状態から傾倒して小物入れ１の収納室１１の開口部分を開蓋する第２の状態との間で移動可能となる。
【００２５】
この結果、機器取付用ブラケット４に車載用スピーカ装置２が取り付けられた後でも、機器取付用ブラケット４を傾倒状態にすることが可能となり、車載用スピーカ装置２を前方へ傾斜させることによって、小物入れ１の収納室１１の開口部分を開くことができ、小物入れ１本来の機能を損なうことなく、車載用スピーカ装置２が取り付けられた後も小物入れ１として使用することが可能となる。
【００２６】
さらに、機器取付用ブラケット４を傾倒機構５の動作にもとづき、小物入れ１の収納室１１を閉蓋した状態のとき、この機器取付用ブラケット４に取り付けられた車載用スピーカ装置２は、小物入れ１の収容室１１の容積をバックキャビティとして使用することができる。
【００２７】
この結果、図２に示すように、車載用スピーカ装置２をダッシュボード上に設置等を行った自由空間の環境下で使用した場合の特性図Ｂと、小物入れ１の収納室１１の容積をバックキャビティとして使用した場合を示す特性図Ａとの比較からも容易に確認できるように、４ｋＨｚ以下の周波数範囲において音圧を上昇させる効果が得られ、音響特性の改善を図ることが可能となる。
【００２８】
なお、この第１の実施例においては、車載用スピーカ装置２の背面側外周部分に接触音
（異音）の発生を防止ためのパッキン９が貼り付けられている。
【００２９】
以上のように構成した本発明の第１の実施例によれば、固定用ブラケット３と機器取付用ブラケット４とを傾倒機構５を介して連結するように構成したから、小物入れ１としての機能を損なうことなく車載用スピーカ装置２を取り付けることができる。また、小物入れ１の収納室１１の容積を車載用スピーカ装置２のバックキャビティとして使用することができるため、取り付けた車載用スピーカ装置２の周波数特性等の向上を図ることができる。
【００３０】
また、車載用スピーカ装置２の取り付けに際し、その取り付け場所周辺の車両部品を脱着することなく取付作業を行なうことができるため、取り付けに要する作業時間を著しく短縮することができるとともに、車載用スピーカ装置２の取り付け場所がフロントコンソール内となることにより、運転席側から見た視野範囲を妨げることなく、車両内に車載用スピーカ装置２を設置することが可能となる。
【００３１】
さらに、機器取付用ブラケット４は、車載用スピーカ装置２の取付位置調整手段８を備えているため、車両メーカーの部品に応じた取り付けが可能となる。また、固定用ブラケット３は、小物入れ１の収納室１１内へ接着固定する方法を採用しているため、従来のように、ダッシュボード上等に接着剤等の痕を残すことがなく、車室内の外観を損なうことがない。
【００３２】
なお、上述した第１の実施例においては、機器取付用ブラケット４へ車載用スピーカ装置２を取り付けた場合について説明したが、機器取付用ブラケット４へ取り付ける車載用機器は、車載用スピーカ装置２に限定されものではなく、各種の車載用機器を取り付けることが可能である。
【実施例２】
【００３３】
次に、図３の（ａ）および（ｂ）にもとづいて、本発明の第２の実施例について説明する。この第２の実施例は、固定用ブラケット３と機器取付用ブラケット４とを連結する傾倒機構５の第１の実施の形態を示すものであり、図３の（ａ）は、機器取付用ブラケット４が小物入れの収納室（図示しない）を閉蓋したときの状態を示す模式図、図３の（ｂ）は、機器取付用ブラケット４が小物入れの収納室を開蓋したときの状態を示す模式図である。
【００３４】
この図３の（ａ）および（ｂ）に示す傾倒機構５は、支軸５１へ回動自在に設けた回動部５２を楕円形状に形成し、上部からバネ部材５３を用い回動部５２へ押圧力を加えるように構成している。
【００３５】
このように構成することによって、図３の（ａ）に示すように機器取付用ブラケット４が起立し、小物入れの収納室を閉蓋したときの状態、および図３の（ｂ）に示すように、機器取付用ブラケット４が傾倒して小物入れの収納室を開蓋したときの状態を確実に保持することが可能な車載用機器取付装置を提供することができる。
【実施例３】
【００３６】
図４の（ａ）および（ｂ）は、本発明の第３の実施例を示すものであって、固定用ブラケット３と機器取付用ブラケット４とを連結する傾倒機構５の第２の実施の形態を示すものである。図４の（ａ）は、機器取付用ブラケット４が小物入れの収納室（図示しない）を閉蓋したときの状態を示す模式図、図４の（ｂ）は、機器取付用ブラケット４が小物入れの収納室を開蓋したときの状態を示す模式図である。
【００３７】
この図４の（ａ）および（ｂ）に示す傾倒機構５は、一端部を固定用ブラケット３に懸架するとともに、他端部を機器取付用ブラケット４に懸架したスプリング５４を備えたことを特長としている。
【００３８】
このように、スプリング５４を固定用ブラケット３と機器取付用ブラケット４との間に設けたことにより、図４の（ａ）に示すように、機器取付用ブラケット４が起立し、小物入れの収納室を閉蓋したときの状態、および図４の（ｂ）に示すように、機器取付用ブラケット４が傾倒して小物入れの収納室を開蓋したときの状態を確実に保持することが可能な車載用機器取付装置を提供することができる。
【実施例４】
【００３９】
図５の（ａ）および（ｂ）は、本発明の第４の実施例を示すものであって、車載用機器２と機器取付用ブラケット４とを連結する傾倒機構５の第３の実施の形態を示すものである。図５の（ａ）は、車載用機器２が小物入れ１の収納室１１を閉じたときの状態を示す断面側面図、図５の（ｂ）は、車載用機器が小物入れ１の収納室１１を開いたときの状態を示す断面側面図である。
【００４０】
この第４の実施例における固定用ブラケット３は、両面感圧式粘着テープ６によって、小物入れ１の収納室１１内に接着固定されている。また、機器取付用ブラケット４は、その下端部を固定用ブラケット３に取り付けられ、かつ収納室１１の開口部分へ嵌め込むことができる例えば、ロ字形状の枠部材によって形成されている。
【００４１】
また、この第４の実施例における傾倒機構５は、機器取付用ブラケット４と車載用機器２との間を連結し支持する２本の連動するアーム５５を２組用いて構成したものである。このアーム５５は、その一端部を機器取付用ブラケット４の側面に回転自在に軸支され、また、他端部を車載用機器２の側面に回転自在に軸支され、機器取付用ブラケット４と車載用機器２との間を連結し支持するように構成している。
【００４２】
この２本一対の２組のアーム５５によって両側を連結、支持された車載用機器２は、図５の（ａ）に示すように、直立して小物入れ１の開口部分を覆う第１の状態から、図５の（ｂ）示すように、車載用機器２が下側にずれて小物入れ１の前面から離れ、小物入れ１の開口部分を開く第２の状態との間で移動することができるように構成している。
【００４３】
以上のように構成した本発明の第４の実施例によれば、車載用機器２と機器取付用ブラケット４とをアーム５５を用いた傾倒機構５を介して連結するように構成したから、小物入れ１としての機能を損なうことなく車載用機器２を取り付けることができる。
【実施例５】
【００４４】
図６は本発明の第５の実施例を示す斜視図であって、収納室の高さがそれぞれ異なる小物入れに対応して固定することができる車載用機器取付装置を提供するものである。
【００４５】
図６において、機器取付用ブラケット４は、車載用機器（図示しない）を取り付けるためのネジ穴４２を設け、周知の構造の傾倒機構５を介して固定用ブラケットを構成する基台３１に連結されている。基台３１の下面には、小物入れの収納室内に固定するためのスベリ止め３６が貼り付けられている。
【００４６】
また、この基台３１には、２本のリンク３２および３３をＸ字形状に組み合わせたリンク式伸縮機構を設けている。また、このリンク式伸縮機構の上部には、上面にスベリ止め３６を有する昇降板３４が設けられ、スクリューロッド３５を正転させることにより、リンク式伸縮機構は伸長して、昇降板３４を上昇させ、小物入れの収納室内の上部内壁面を外方向に押し上げた状態で固定することができる。また、スクリューロッド３５を反対に逆転させれば、昇降板３４は降下して収納室の上部内壁面から離れ、固定の解除を容易に行なうことができる。
【００４７】
このように、本発明の第５の実施例によれば、リンク式伸縮機構を小物入れの収納室内へ挿入した後、スクリューロッド３５を回転操作してリンク３２、３３の伸縮状態を調整することにより、小物入れの収納室の高さに合致させて固定を行なうことができる。また、機器取付用ブラケット４に車載用機器が取り付けられた後でも、機器取付用ブラケット４を傾倒状態にすることが可能となり、機器取付用ブラケット４を前方へ傾斜させることによって、小物入れの収納室の開口部分を開くことができ、小物入れ本来の機能を損なうことなく、車載用機器が取り付けられた後も小物入れとして使用することが可能となる。
【実施例６】
【００４８】
図７は本発明の第６の実施例を示す斜視図であって、収納室の高がそれぞれ異なる小物入れに対応して固定することができる車載用機器取付装置を提供するものである。
【００４９】
図７において、機器取付用ブラケット４は、ネジ穴４２を通した取付ネジ７によって車載用機器２を取り付けるとともに、周知の構造の傾倒機構５を介して到Ｕ字形状の板バネ３７の一端に連結している。この板バネ３７には、コイルスプリング３８が取り付けれ、板バネ３７の上部開放端部ａを押し下げた状態で、小物入れ１の収納室１１へスライドさせながら挿入し、板バネ３７の押圧を解除すると、板バネ３７とコイルスプリング３８の圧縮応力によって、収納室１１の内壁面へ固定することができる。
【００５０】
また、板バネ３７は、収納室１１の内壁面に圧接触する部分にスベリ止め３６をそれぞれ設けている。また、機器取付用ブラケット４と板バネ３７との間には、スプリング５４を設けて、機器取付用ブラケット４が起立し、小物入れの収納室を閉蓋したときの状態、および機器取付用ブラケット４が傾倒して小物入れ１の収納室１１を開蓋したときの状態を確実に保持することができるようにしている。
【００５１】
このように、本発明の第６の実施例によれば、小物入れ１の収納室１１へ挿入するバネ部材により、小物入れの高さに合致させて固定を行うことができる。また、機器取付用ブラケット４に車載用機器２が取り付けられた後でも、機器取付用ブラケット４を傾倒状態にすることが可能となり、車載用機器２を前方へ傾斜させることによって、小物入れ１の収納室１１の開口部分を開くことができ、小物入れ１本来の機能を損なうことなく、車載用機器２が取り付けられた後も小物入れ１として使用することが可能となる。
【図面の簡単な説明】
【００５２】
【図１】本発明に係る車載用機器取付装置の実施の形態を示す説明図である。
【図２】車載用スピーカ装置の音響特性を示す説明図である。
【図３】本発明に係る車載用機器取付装置に用いる傾倒機構を示す説明図である。
【図４】本発明に係る車載用機器取付装置に用いる傾倒機構を示す説明図である。
【図５】本発明に係る車載用機器取付装置に用いる傾倒機構を示す説明図である。
【図６】本発明に係る車載用機器取付装置に用いる固定用ブラケットの固定機構を示す斜視図である。
【図７】本発明に係る車載用機器取付装置に用いる固定用ブラケットの固定機構を示す斜視図である。
【図８】車載用機器取付装置を装着する位置を示す説明図である。
【符号の説明】
【００５３】
１      小物入れ
１１    収納室
２      車載用機器（車載用スピーカ装置）
３      固定用ブラケット
３１    基台
３２    リンク
３３    リンク
３４    昇降板
３５    スクリューロッド
３６    スベリ止め
３７    板バネ
３８    コイルスプリング
４      機器取付用ブラケット
４１    取付部
４２    ネジ穴
５      傾倒機構
５１    支軸
５２    回動部
５３    バネ部材
５４    スプリング
５５    アーム
６      両面感圧式粘着テープ
７      取付ネジ
８      取付位置調整手段
８１    長孔
９      パッキン
【図１】
2006248453.tif 000003
【図２】
2006248453.tif 000004
【図３】
2006248453.tif 000005
【図４】
2006248453.tif 000006
【図５】
2006248453.tif 000007
【図６】
2006248453.tif 000008
【図７】
2006248453.tif 000009
【図８】
2006248453.tif 000010